(57)【要約】【課題】特定の管理者のみが表示部における表示モードの変更を行うこと。【解決手段】装置本体１より露出した状態で設置され、硬貨を入金する開口である入金口１１、硬貨を出金するための開口である出金口１２及び各種表示を行う表示部１３が設けられた接客部１０を備えた硬貨処理装置において、接客部１０は、前面に設けられた鍵孔１６ａに所定の鍵Ｋが挿入されて操作されることにより、装置本体１に対して近接離反する態様で変位可能に設けられており、接客部１０が装置本体１に対して離隔した場合に露出する個所に設置された操作入力部２１，２２，２３と、操作入力部２１，２２，２３が操作された場合に、表示部１３の表示を常時行う常時表示モードと、表示部１３の表示を規制する非表示モードとのいずれかに変更する制御部３０を備えている。【選択図】図６
2019153046.tif 000002
【特許請求の範囲】
【請求項１】
装置本体より露出した状態で設置され、硬貨を入金する開口である入金口、硬貨を出金するための開口である出金口及び各種表示を行う表示部が設けられた接客部を備えた硬貨処理装置において、
前記接客部は、前記装置本体とのロックが解除された場合に、該装置本体に対して近接離反する態様で変位可能に設けられており、
前記接客部が前記装置本体に対して離隔した場合に露出する個所に設置された操作入力部と、
前記操作入力部が操作された場合に、前記表示部の表示を常時行う常時表示モードと、前記表示部の表示を規制する非表示モードとのいずれかに変更する制御手段と
を備えたことを特徴とする硬貨処理装置。
【請求項２】
前記接客部は、任意の個所に設けられた鍵孔に所定の鍵が挿入されて操作されることにより、前記装置本体に対して近接離反する態様でスライド可能に設けられていることを特徴とする請求項１に記載の硬貨処理装置。
【請求項３】
前記制御手段は、前記操作入力部が操作された場合に、前記常時表示モード、前記非表示モード及び予め決められたエラーが発生したときに前記表示部の表示を行うエラー表示モードのいずれかに択一的に変更することを特徴とする請求項１又は請求項２に記載の硬貨処理装置。
【請求項４】
前記表示部を被覆するマスクが設けられたことを特徴とする請求項１〜３のいずれか１つに記載の硬貨処理装置。
【発明の詳細な説明】
【技術分野】
【０００１】
本発明は、硬貨処理装置に関するものである。
【背景技術】
【０００２】
従来、硬貨処理装置として特許文献１に提案されている。この特許文献１に提案された硬貨処理装置では、装置本体より前方に露出した状態で接客部が設けられている。接客部は、硬貨を入金する開口である入金口、硬貨を出金するための開口である出金口、並びに各種表示を行う表示部が設けられている。
【０００３】
このような硬貨処理装置は、入金口を通じて入金された硬貨を金種別に収納するとともに、出金指令が与えられた場合に収納する硬貨を釣銭として出金口から払い出している。
【先行技術文献】
【特許文献】
【０００４】
【特許文献１】特開２０１５−１０２９２６号公報
【発明の概要】
【発明が解決しようとする課題】
【０００５】
ところで、上述した硬貨処理装置は、例えばスーパーマーケットやコンビニエンスストア等の店舗において、釣銭機としてＰＯＳ（Point  Of  Sales）レジスタに接続されて使用されるのが一般的である。
【０００６】
そして、店舗の管理者によっては、ＰＯＳレジスタの画面に硬貨処理装置の入金情報や出金情報を一括に表示させることで上記表示部には一切表示させたくない場合があると考えられる。その一方、別の店舗の管理者によっては、ＰＯＳレジスタの画面だけでなく上記表示部にも表示させたい場合があると考えられる。
【０００７】
そこで、接客部の前面等に表示部での表示モードの切替を行う操作入力部を設けることが考えられるが、かかるＰＯＳレジスタを店舗の顧客等が操作する場合には、顧客等が誤って操作入力部を操作してしまうことが考えられ、好ましくない。
【０００８】
本発明は、上記実情に鑑みて、特定の管理者のみが表示部における表示モードの変更を行うことができる硬貨処理装置を提供することを目的とする。
【課題を解決するための手段】
【０００９】
上記目的を達成するために、本発明に係る硬貨処理装置は、装置本体より露出した状態で設置され、硬貨を入金する開口である入金口、硬貨を出金するための開口である出金口及び各種表示を行う表示部が設けられた接客部を備えた硬貨処理装置において、前記接客部は、前記装置本体とのロックが解除された場合に、該装置本体に対して近接離反する態様で変位可能に設けられており、前記接客部が前記装置本体に対して離隔した場合に露出する個所に設置された操作入力部と、前記操作入力部が操作された場合に、前記表示部の表示を常時行う常時表示モードと、前記表示部の表示を規制する非表示モードとのいずれかに変更する制御手段とを備えたことを特徴とする。
【００１０】
また本発明は、上記硬貨処理装置において、前記接客部は、任意の個所に設けられた鍵孔に所定の鍵が挿入されて操作されることにより、前記装置本体に対して近接離反する態様でスライド可能に設けられていることを特徴とする。
【００１１】
また本発明は、上記硬貨処理装置において、前記制御手段は、前記操作入力部が操作された場合に、前記常時表示モード、前記非表示モード及び予め決められたエラーが発生したときに前記表示部の表示を行うエラー表示モードのいずれかに択一的に変更することを特徴とする。
【００１２】
また本発明は、上記硬貨処理装置において、前記表示部を被覆するマスクが設けられたことを特徴とする。
【発明の効果】
【００１３】
本発明によれば、接客部が、装置本体とのロックが解除された場合に、該装置本体に対して近接離反する態様で変位可能に設けられており、操作入力部が、接客部が装置本体に対して離隔した場合に露出する個所に設置されており、制御手段が、操作入力部が操作されたときに、表示部の表示を常時行う常時表示モードと、表示部の表示を規制する非表示モードとのいずれかに変更するので、装置本体に対する接客部のロックを解除することができる者のみが表示部の表示モードを変更することができ、特定の管理者のみが表示部における表示モードの変更を行うことができるという効果を奏する。
【図面の簡単な説明】
【００１４】
【図１】図１は、本発明の実施の形態である硬貨処理装置を示す斜視図である。
【図２】図２は、図１に示した硬貨処理装置の要部を拡大して示す斜視図である。
【図３】図３は、接客部が装置本体に近接した状態を示す説明図である。
【図４】図４は、接客部が装置本体から離隔した状態を示す説明図である。
【図５】図５は、図１に示した硬貨処理装置の特徴的な制御系を模式的に示す模式図である。
【図６】図６は、装置本体から離隔する方向にスライドした接客部を示す斜視図である。
【図７】図７は、図５に示した制御部が実施する表示モード変更制御処理の処理内容を示すフローチャートである。
【発明を実施するための形態】
【００１５】
以下に添付図面を参照して、本発明に係る硬貨処理装置の好適な実施の形態について詳細に説明する。
【００１６】
図１は、本発明の実施の形態である硬貨処理装置を示す斜視図である。ここで例示する硬貨処理装置は、例えばスーパーマーケットやコンビニエンスストア等の店舗において、釣銭機としてＰＯＳ（Point  Of  Sales）レジスタに接続されて適用されるもので、装置本体１から露出する態様で接客部１０が設置してある。
【００１７】
接客部１０は、図２にも示すように、入金口１１、出金口１２及び表示部１３を備えている。入金口１１は、硬貨を入金するための開口である。出金口１２は、硬貨を出金するための開口である。表示部１３は、各種情報を表示するためのものである。この表示部１３の側方域には、複数（図示の例では２つ）の押ボタン１４が設けてある。これら押ボタン１４は、押下操作された場合に、信号を後述する制御部３０に送出するものである。かかる接客部１０においては、表示部１３及び押ボタン１４は、樹脂製のマスク１５により被覆されている。
【００１８】
上記装置本体１は、前面が開口した筐体である。この装置本体１の内部には、図には明示しないが、硬貨分離装置、硬貨検銭装置、硬貨搬送装置及び硬貨収納装置が設置されている。
【００１９】
硬貨分離装置は、入金口１１を通じて入金された硬貨を１枚ずつ分離させた状態で供給するものである。硬貨検銭装置は、硬貨分離装置から供給された硬貨の真偽及び金種を鑑別し、正貨を硬貨搬送装置に供給するものである。硬貨搬送装置は、硬貨検銭装置から供給された硬貨（正貨）を搬送経路に沿って搬送し、金種毎に振り分けて硬貨収納装置に供給するものである。硬貨収納装置は、金種毎に硬貨を収納しつつ、出金指令に応じて硬貨を出金口１２に払い出すものである。
【００２０】
上記接客部１０の前面には錠前１６が設けてある。かかる錠前１６には、鍵孔１６ａが形成してあり、例えば店舗の管理者が保持する所定の鍵Ｋが該鍵孔１６ａに挿入されて回動操作されることで、装置本体１に対する接客部１０のロックを解除する入力手段である。
【００２１】
接客部１０は、ロックが解除された場合、図３に示すように装置本体１に近接した状態から、図４に示すように装置本体１から離隔した状態にスライド可能である。つまり、接客部１０は、装置本体１に対して近接離反する態様でスライド可能に設置されており、常態においては、装置本体１に近接した状態で該装置本体１にロックされている。
【００２２】
図５は、図１に示した硬貨処理装置の特徴的な制御系を模式的に示す模式図である。この図５に示すように、硬貨処理装置は、第１操作入力部２１、第２操作入力部２２、第３操作入力部２３及び制御部３０を備えている。
【００２３】
第１操作入力部２１は、接客部１０を装置本体１から離隔させた場合において、図６に示すように、露出する個所に設置されている。この第１操作入力部２１は、操作入力ボタンにより構成してあり、押下操作された場合に、内蔵するスイッチが押下されて制御部３０に対して第１信号を送出するものである。
【００２４】
第２操作入力部２２は、接客部１０を装置本体１から離隔させた場合において、図６に示すように、露出する個所に設置されている。この第２操作入力部２２は、操作入力ボタンにより構成してあり、押下操作された場合に、内蔵するスイッチが押下されて制御部３０に対して第２信号を送出するものである。
【００２５】
第３操作入力部２３は、接客部１０を装置本体１から離隔させた場合において、図６に示すように、露出する個所に設置されている。この第３操作入力部２３は、操作入力ボタンにより構成してあり、押下操作された場合に、内蔵するスイッチが押下されて制御部３０に対して第３信号を送出するものである。
【００２６】
また接客部１０においては、図６に示したように、装置本体１から離隔する方向にスライドして露出される個所に複数（図示の例では２つ）のＵＳＢ（Universal  Serial  Bus）ポート２４が設けてある。
【００２７】
このようなＵＳＢポート２４は、接客部１０の縁部を構成する上縁部からの離間距離が例えば１０ｍｍ程度となる個所に設置してある。これにより、ＵＳＢポート２４に図示せぬＵＳＢが差し込まれた状態では、該ＵＳＢの一部が接客部１０の上縁部から上方に突出した姿勢となるため、接客部１０を装置本体１に近接させて該装置本体１にロックさせることができない。つまり、ＵＳＢポート２４の配設個所は、該ＵＳＢポート２４に対してＵＳＢを差し込んだ状態では接客部１０を装置本体１に物理的にロックさせることができない個所とされている。これによれば、かかるＵＳＢポート２４にＵＳＢが差し込まれたままで接客部１０が装置本体１にロックされることが防止され、不正通信等が行われることを回避することができる。
【００２８】
制御部３０は、メモリ３５に記憶されたプログラムやデータに従って硬貨処理装置の動作を統括的に制御する制御手段であり、入力処理部３１、モード変更処理部３２及び出力処理部３３を備えている。
【００２９】
尚、制御部３０は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００３０】
入力処理部３１は、第１操作入力部２１から与えられる第１信号、第２操作入力部２２から与えられる第２信号、第３操作入力部２３から与えられる第３信号を入力するものである。
【００３１】
モード変更処理部３２は、表示部１３における表示モードを変更するものである。具体的には、モード変更処理部３２は、入力処理部３１を通じて第１信号を入力した場合、表示部１３の表示を常時行う常時表示モードに変更するものである。またモード変更処理部３２は、入力処理部３１を通じて第２信号を入力した場合、表示部１３の表示を規制する非表示モードに変更するものである。更にモード変更処理部３２は、入力処理部３１を通じて第３信号を入力した場合、予め決められたエラーが発生したときに表示部１３の表示を行うエラー表示モードに変更するものである。つまり、モード変更処理部３２は、いずれかの操作入力部が操作された場合に、常時表示モード、非表示モード及びエラー表示モードのいずれかに択一的に変更するものである。
【００３２】
出力処理部３３は、表示部１３に対してモード変更処理部３２で変更されたモードに応じた表示指令を送出して、表示部１３における表示を制御するものである。
【００３３】
図７は、図５に示した制御部３０が実施する表示モード変更制御処理の処理内容を示すフローチャートである。かかる表示モード変更制御処理の説明の前提として、接客部１０が装置本体１から離隔する方向にスライドしているものとする。
【００３４】
この表示モード変更制御処理において制御部３０は、入力処理部３１を通じて第１信号、第２信号及び第３信号のいずれかの入力待ちとなる（ステップＳ１０１，ステップＳ１０２，ステップＳ１０３）。
【００３５】
店舗の管理者等によって第１操作入力部２１が操作されることにより、入力処理部３１を通じて第１信号を入力した場合（ステップＳ１０１：Ｙｅｓ）、制御部３０は、モード変更処理部３２を通じて常時表示モードに変更する（ステップＳ１０４）。
【００３６】
このようにして常時表示モードに変更した制御部３０は、出力処理部３３を通じて表示部１３に表示指令を送出し（ステップＳ１０５）、その後に手順をリターンさせて今回の処理を終了する。
【００３７】
これによれば、表示部１３に所定情報が常時表示されることになる。この場合においては、マスク１５が取り外されることが好ましい。
【００３８】
店舗の管理者等によって第２操作入力部２２が操作されることにより、入力処理部３１を通じて第２信号を入力した場合（ステップＳ１０１：Ｎｏ，ステップＳ１０２：Ｙｅｓ）、制御部３０は、モード変更処理部３２を通じて非表示モードに変更する（ステップＳ１０６）。
【００３９】
このようにして非表示モードに変更した制御部３０は、出力処理部３３を通じて表示部１３に表示禁止指令を送出し（ステップＳ１０７）、その後に手順をリターンさせて今回の処理を終了する。これによれば、表示部１３における表示が規制されることになる。
【００４０】
店舗の管理者等によって第３操作入力部２３が操作されることにより、入力処理部３１を通じて第３信号を入力した場合（ステップＳ１０１：ＮＯ，ステップＳ１０２：Ｎｏ，ステップＳ１０３：Ｙｅｓ）、制御部３０は、モード変更処理部３２を通じてエラー表示モードに変更し（ステップＳ１０８）、その後に手順をリターンさせて今回の処理を終了する。
【００４１】
これによれば、硬貨処理装置において予め決められた何からのエラーが生じた場合に、出力処理部３３から与えられる指令により表示部１３にエラー情報が表示されることになる。この場合においては、マスク１５が取り外されることが好ましい。
【００４２】
以上説明したように、本発明の実施の形態である硬貨処理装置によれば、接客部１０が、前面に設けられた鍵孔１６ａに所定の鍵Ｋが挿入されて操作されることにより、装置本体１に対して近接離反する態様でスライド可能に設けられており、第１操作入力部２１、第２操作入力部２２及び第３操作入力部２３が接客部１０が装置本体１に対して離隔する方向にスライドした場合に露出する個所に設置されており、制御部３０が、第１操作入力部２１、第２操作入力部２２及び第３操作入力部２３のいずれかが操作されたときに、常時表示モード、非表示モード及びエラー表示モードのいずれかに択一的に変更するので、所定の鍵Ｋを所有する店舗の管理者のみが表示部１３の表示モードを変更することができる。従って、特定の管理者のみが表示部１３における表示モードの変更を行うことができる。
【００４３】
上記硬貨処理装置によれば、接客部１０が装置本体１に対して離隔する方向にスライドした場合に露出する個所にＵＳＢポート２４が設けてあるので、特定の管理者のみがデータの受信等を行うことができ、該管理者に相当しない店舗の従業員等がデータの受信等を行うことを防止することができる。
【００４４】
以上、本発明の好適な実施の形態について説明したが、本発明はこれに限定されるものではなく、種々の変更を行うことができる。
【００４５】
上述した実施の形態では、接客部１０の前面の鍵孔１６ａに、例えば店舗の管理者が保持する所定の鍵Ｋが挿入されて回動操作されることで、装置本体１に対する接客部１０のロックを解除するようにしていたが、本発明においては、ＰＯＳレジスタ等の上位機器からの指令に基づいて装置本体に対する接客部のロックを解除してもよいし、所定の入力操作を行うことにより装置本体に対する接客部のロックを解除するようにしてもよい。
【００４６】
上述した実施の形態では、第１操作入力部２１、第２操作入力部２２及び第３操作入力部２３が設けられていたが、本発明においては、１つの操作入力部が設けられ、かかる操作入力部が操作されることにより、制御手段に対して所定の信号（本実施の形態における第１信号、第２信号、第３信号に相当）を送出するようにしてもよい。
【００４７】
上述した実施の形態では、表示部１３における表示モードとして、常時表示モード、非表示モード、エラー表示モードが例示されたが、本発明においては、常時表示モードと非表示モードとの変更が行えればよい。
【００４８】
上述した実施の形態では、第１操作入力部２１等を操作することにより表示モードを変更したが、錠前１６の鍵孔１６ａに鍵Ｋを挿入して所定の回動動作を行うことにより表示モードを変更してもよい。
【００４９】
上述した実施の形態では、接客部１０が装置本体１とのロックが解除された場合に、該装置本体１に対して近接離反する態様でスライド可能であったが、本発明においては、接客部が装置本体に対して近接離反する態様で変位可能であれば、スライドしなくてもよい。
【符号の説明】
【００５０】
１  装置本体
１０  接客部
１１  入金口
１２  出金口
１３  表示部
１４  押ボタン
１５  マスク
１６  錠前
１６ａ  鍵孔
２１  第１操作入力部
２２  第２操作入力部
２３  第３操作入力部
３０  制御部
３１  入力処理部
３２  モード変更処理部
３３  出力処理部
３５  メモリ
Ｋ  鍵
【図１】
2019153046.tif 000003
【図２】
2019153046.tif 000004
【図３】
2019153046.tif 000005
【図４】
2019153046.tif 000006
【図５】
2019153046.tif 000007
【図６】
2019153046.tif 000008
【図７】
2019153046.tif 000009